(57)【要約】      （修正有）【課題】Ｃ形鋼を建物の母屋として使用する場合に、地震等の振動による吊ボルトの脱落を防止する耐震性を有する支持金具を提供する。【解決手段】鋼板厚さが２ｍｍ程度の薄板を、長手方向に伸びる胴部及び横手方向に延びる腕部からなる逆Ｔ字型に切断する。胴部は略Ｌ字形に折り曲げられ、腕部をＬ字の跳ね上げ部分３ｃとする。正面視横に張り出す腕部突出部４ａは母屋のウエブ部１ａ下側に固定される。Ｌ字の短辺部３ａは吊ボルト２を貫通させ固定する。短辺部３ａは吊ボルト２が鉛直に吊り下がるように水平を保つ。縦断面視で取付金具ＡのＬ字とＣ形鋼のウエブ部１ａからなる略三角形が構成されるように、Ｃ形鋼の勾配に合わせ斜め上に折り曲げたＬ字形の長辺部３ｂの上部をＣ形鋼のウエブ部１ａ上部に固定する。【選択図】図１
0003180375.tif 000002
【実用新案登録請求の範囲】
【請求項１】
一枚の逆Ｔ字状の鋼板であって、折り曲げて形成され、その各先端部にＣ形鋼のウエブ部に緊結するための固定部が設けられることを特徴とする吊ボルト取付耐震金具。
【請求項２】
請求項１に記載の吊ボルト取付耐震金具において、略Ｌ字状に折り曲げて形成することを特徴とする吊ボルト取付耐震金具。
【請求項３】
請求項１及び請求項２記載の吊ボルト取付耐震金具において、吊ボルトを貫通させるための孔を設け、吊ボルトが取付金具を貫通するその直上直下を固定することを特徴とする吊ボルト取付耐震金具。
【請求項４】
請求項１ないし請求項３記載の吊ボルト取付耐震金具において、予めビス留めする箇所に緊結するビスの径より小さい穴が設けられることを特徴とする吊ボルト取付耐震金具。
【請求項５】
請求項１ないし請求項４の何れかに記載の吊ボルト取付耐震金具において、吊ボルトが取付金具を貫通するその直上直下が緩み止めワッシャー及びナットで固定されることを特徴とする吊ボルト取付耐震金具。
【考案の詳細な説明】
【技術分野】
【０００１】
本考案は、建物の母屋にＣ形鋼を使用している場合に、これに吊ボルトを取り付けるための耐震性を有する支持金具に関する。
【背景技術】
【０００２】
従来は鉄骨建築などに母屋材としてＣ形鋼を使用している場合、これに吊ボルトを取り付けるには、略「コ」の字状の取付金具がある（例えば、特許文献１、特許文献２及び非特許文献１参照）。また、Ｃ形鋼の開口部に、取付金具へ固定された鋼板を入れる構造の取付金具がある（例えば、特許文献３参照）。以下、従来の吊ボルト取付金具について説明する。
【０００３】
特許文献１及び特許文献２にて開示される略「コ」の字状の取付金具は、特許文献１の図８及び図９又は特許文献２の図２に示されるように、Ｃ形鋼のリップ部に係止部内の適当な爪を引掛け、取付金具の下側腕部を貫通する吊ボルトの上部をＣ形鋼のフランジ部の下面に押し付けることで吊ボルトを固定するものである。非特許文献１のように、これに加えて取付金具の上側腕部を突き抜けるボルトで吊ボルトを締め付けることで吊ボルトを固定するものもある。
【０００４】
特許文献３にて開示される取付金具は、Ｃ形鋼の開口部へ取付金具に固定された鋼板を入れ、取付金具に固定された円筒または角筒に吊ボルトをネジ込むことで、吊ボルトを設置するものである。
【０００５】
Ｃ形鋼は、Ｈ形鋼やＩ形鋼に比べて形鋼自体の強度が足りないため、軽量で支持強度に優れた吊ボルト取付金具が望まれる。しかし、従来の取付金具は、地震等の振動によりＣ形鋼のリップ部或いはフランジ部が変形して開いたり、係止部や開口部内部に入れ込んだ鋼板が変形すると容易に脱落してしまうため、耐震的ではない。特許文献１、特許文献２及び非特許文献１に開示される取付金具では、係止部内の適当な爪を選択することで吊ボルトは鉛直に吊り下げられるが、爪の先端や締付けるボルトの先端で母材に傷が付き、応力集中で母材強度が著しく低下するおそれがある。特許文献３に開示される取付金具は、現場での作業を能率的に一動作で取り付けるために予め接合されている。したがって、従来の取付金具では母屋と被取付け部の角度に応じた角度調節に限度がある。また、Ｃ形鋼又は締付ボルトへの押圧による吊ボルトの固定は、振動による上述の変形又は押圧し合うボルト同士にズレが生ずれば、容易に外れてしまうため、吊ボルトの脱落を防止できない。
【先行技術文献】
【特許文献】
【０００６】
【特許文献１】特開平１１−６２０９３号
【特許文献２】実開平４−４１０１２号
【特許文献３】実開平６−１８５２０号
【非特許文献】
【０００７】
【非特許文献１】「株式会社サワタ  無溶接金物  製品カタログ2012   No. 49」、株式会社サワタ、２０１２年、p. 18
【考案の概要】
【考案が解決しようとする課題】
【０００８】
本考案においては、地震等の振動に対する耐震性を有し、Ｃ形鋼の角度に応じて自由に角度調節ができ、吊ボルトの脱落を防止し母屋に緊結する機能を有する取付金具を提供することを目的とする。
【課題を解決するための手段】
【０００９】
本考案の課題は、吊ボルト取付耐震金具は、一枚の逆Ｔ字状の鋼板であって、折り曲げて形成され、その各先端部にＣ形鋼のウエブ部に緊結するための固定部が設けられると構成されることにより解決される。
【００１０】
更に、略Ｌ字状に折り曲げて形成すると、Ｃ形鋼の角度に応じて自由に角度調節ができるため、より有利である。
【００１１】
吊ボルトを貫通させるための孔を設け、吊ボルトが取付金具を貫通するその直上直下を固定することにより、作業が容易となるとともに、吊ボルトの脱落が防止されるため、より有利である。
【００１２】
予めビス留めする箇所に緊結するビス径より小さい穴を設けることで、ウエブ部との適切な緊結が可能となり、またビス留め作業も容易となるため、より有利である。
【００１３】
吊ボルトが取付金具を貫通するその直上直下が緩み止めワッシャー及びナットで固定されることにより、吊ボルトの脱落が確実に防止されるため、より有利である。
【考案の効果】
【００１４】
請求項１の考案によれば、一枚の逆Ｔ字状の鋼板を折り曲げて形成し、その各先端部がＣ形鋼のウエブ部に緊結される結果、ウエブ部へ応力が伝わりＣ形鋼の断面性能が発揮されるので金具が変形しにくく耐震的となる。また、逆Ｔ字の腕部突出部は、折り曲げても横に張り出すため、Ｃ形鋼への固定作業が容易となる。
【００１５】
請求項２の考案によれば、略Ｌ字状に折り曲げられる部分のうち固定される各先端部以外の部分は、吊ボルトを鉛直に吊り下げるためにＣ形鋼の勾配に応じて自由に角度を調節することができる。また、取付金具のＬ字及びウエブ部背面によって、縦断面視で三角形が構成されることで、吊ボルトに圧縮力が生じる場合であっても金具の変形がしにくくなる。
【００１６】
請求項３の考案によれば、吊ボルトを貫通させるための孔を設け、吊ボルトが取付金具を貫通するその直上直下で固定される構成の結果、作業が容易となるとともに、吊ボルトの取付金具からの脱落を防止することができる。
【００１７】
請求項４の考案によれば、予めビス留めする箇所にビス径より小さい穴を設ける構成の結果、へりあきと端あきが限定されウエブ部との適切な緊結が可能となり、またビス留め作業も容易となる。
【００１８】
請求項５の考案によれば、吊ボルトが取付金具を貫通するその直上直下が緩み止めワッシャー及びナットで固定されることにより、ナット締めが緩むことが抑えられるため吊ボルトの脱落が確実に防止され、余震ごとに天井裏を点検しナット全数を締めなおす労力と時間を削減することができる。
【図面の簡単な説明】
【００１９】
【図１】本考案の一実施例たるＣ形鋼のウエブ部を屋根梁の棟側に向けて固定した場合の吊ボルト取付耐震金具の使用状態を示した斜視図である。
【図２】本考案の図１の状態に折り曲げる前の形態を表す図である。
【図３】図１に示す吊ボルト取付耐震金具の正面図である。
【図４】図１に示す吊ボルト取付耐震金具の縦断面図である。
【考案を実施するための形態】
【００２０】
以下に本考案の実施の形態を添付図面に基づいて説明する。一枚の逆Ｔ字形の鋼板である取付金具Ａは、長手方向に伸びる胴部３及び横手方向に伸びる腕部４からなる。金具に使用する鋼板は、自由に角度を付けて折り曲げることができ且つ変形に対する強度を有するために、その厚さが２ｍｍ程度の薄板が望ましい。胴部には吊ボルト２を貫通させるための孔６が設けられる。
【００２１】
取付金具の胴部３は略Ｌ字状に折り曲げられる。腕部４をＬ字の跳ね上げ部分３ｃとする。折り曲げられた状態で正面視横に張り出す腕部突出部４ａは母屋のウエブ部１ａ下側に固定される。吊ボルト孔６に吊ボルト２を貫通させ固定する。Ｌ字形の長辺部３ｂはＣ形鋼１の勾配に合わせ斜め上に折り曲げられ、その上部はＣ形鋼のウエブ部１ａ上部に固定される。縦断面視で取付金具ＡのＬ字とＣ形鋼のウエブ部１ａからなる略三角形５が構成される。
【実施例】
【００２２】
図１は、Ｃ形鋼のウエブ部を屋根梁の棟側に向けて固定した場合の吊ボルト取付耐震金具の斜視図、図３はその正面図、図４は縦断面図である。逆Ｔ字形に打ち抜き等で形成される取付金具Ａの胴部３は略Ｌ字状に折り曲げられる。腕部４はＬ字の跳ね上げ部分３ｃとなるようにし、正面視横に張り出す腕部突出部４ａはＣ形鋼のウエブ部１ａ下側にビス留めされる。吊ボルト２を貫通させる孔６は胴部のＬ字短辺部３ａのＣ形鋼寄りに設けられる。吊ボルト孔６に吊ボルト２を貫通させ固定する。胴部のＬ字短辺部３ａは吊ボルト２が鉛直に吊り下がるように水平を保たせ、長辺部３ｂはＣ形鋼１の勾配に応じ斜め上に折り曲げられ、その上部はＣ形鋼のウエブ部１ａ上部にビス留めされる。これらにより、取付金具Ａの各先端が母屋のウエブ部１ａに緊結され、図４に見られるように縦断面視取付金具ＡのＬ字とウエブ部１ａからなる略三角形５が構成される。
【００２３】
ビス９ａ〜９ｄは何れもウエブ部１ａ外側から開口部１ｂ内に貫通する。取付金具Ａを固定するビスの数は、実施例では胴部が２個、腕部突出部が左右それぞれ１個であるが、ビスの大きさに応じ各箇所１個又は２個以上でもよい。ウエブ部１ａにビス留めされる場所には予め小さい穴７ａ〜７ｄを設けておくとよい。ビスの径よりも小さい穴とする。
【００２４】
吊ボルト孔６を貫通した吊ボルト２は、ワッシャー１０及びナット１１によって取付金具Ａに固定される。繰り返す余震等の振動でナットが緩まないように挟むワッシャーには、ノルトロック（ＮＯＲＤ−ＬＯＣＫ）（登録商標）ワッシャーを使用することが望ましい。
【産業上の利用可能性】
【００２５】
本考案によれば、地震等の振動に対し吊ボルトのＣ形鋼からの脱落を防ぐことができる。
【符号の説明】
【００２６】
Ａ          吊ボルト取付耐震金具
１          Ｃ形鋼
２          吊ボルト
３          胴部
４          腕部
６          吊ボルト孔
７          ビス穴
８          山折線又は谷折線
９          ビス
１０          緩み止めワッシャー
１１          ナット
【図１】
0003180375.tif 000003
【図２】
0003180375.tif 000004
【図３】
0003180375.tif 000005
【図４】
0003180375.tif 000006